(57)【要約】【課題】受信した時刻情報を使用しつつ、伝搬遅延時間の少ない正確な時刻修正を行うことができる時刻修正装置等を提供すること。【解決手段】受信部２４が、受信した複数の基地局から選択された候補基地局１５ａ等から発信される特定信号の時刻情報に基づいて修正時刻情報５２を生成する修正時刻生成部３５を有し、修正時刻情報判断部３８が修正時刻情報５２と表示時刻情報５３を比較した判断結果に基づいて、時刻表示修正部３６は、修正時刻情報５２に基づいて表示時刻情報５３を修正することを特徴とする時刻修正装置１０。【選択図】図８
2009085726.tif 000002
【特許請求の範囲】
【請求項１】
複数の基地局から候補基地局を選択する候補基地局選択部と、
前記候補基地局から発信される時刻情報を含む特定信号を受信する受信部と、
時刻表示部の表示時刻情報を修正する時刻表示修正部と、
前記時刻表示修正部が前記表示時刻情報を修正するための修正時刻情報を前記候補基地局から発信される前記特定信号の前記時刻情報に基づいて生成する修正時刻生成部と、
前記修正時刻情報と前記表示時刻情報を比較して、前記修正時刻情報が前記表示時刻情報より進んでいるかを判断する修正時刻情報判断部と、を有し、
前記修正時刻情報判断部の判断結果に基づいて、前記時刻表示修正部が、前記候補基地局から発信される前記特定信号の前記時刻情報に基づいて生成された前記修正時刻情報のうちで、相対的にもっとも進んでいる前記修正時刻情報に基づいて前記表示時刻情報を修正する構成を有すること、
を特徴とする時刻修正装置。
【請求項２】
前記受信部は、前記候補基地局ごとに前記特定信号を受信する構成を備えており、
前記修正時刻生成部は、受信された前記特定信号に含まれる前記時刻情報ごとに前記修正時刻情報を生成する構成を有し、
前記修正時刻情報判断部は、前記修正時刻生成部で生成された前記修正時刻情報ごとに順番に前記表示時刻情報と比較して、判断する構成を備えていることを特徴する請求項１に記載の時刻修正装置。
【請求項３】
前記受信部が前記候補基地局から最初に前記特定信号を受信した際には、前記時刻表示修正部は、最初に受信された前記特定信号に含まれている前記時刻情報から生成された前記修正時刻情報に基づいて前記表示時刻情報を修正する構成を備えていることを特徴とする請求項２に記載の時刻修正装置。
【請求項４】
前記時刻情報は、前記受信部が受信する時刻である受信側時刻情報から一定時間経過後の未来時刻情報となっており、
前記未来時刻情報と前記受信側時刻情報との差分時間情報が格納されている差分時間情報格納部と、を有し、
前記修正時刻生成部は、前記受信部が受信した前記未来時刻情報と前記差分時間情報に基づいて前記修正時刻情報を生成する構成を備えていることを特徴とする請求項１乃至請求項３のいずれかに記載の時刻修正装置。
【請求項５】
前記基地局から発信される信号が、ＣＤＭＡ（Ｃｏｄｅ  Ｄｉｖｉｓｉｏｎ  Ｍｕｌｔｉｐｌｅ  Ａｃｃｅｓｓ、符号分割多重接続）方式の携帯電話通信網で基地局から発信される信号であることを特徴とする請求項１乃至請求項４のいずれかに記載の時刻修正装置。
【請求項６】
複数の基地局から候補基地局を選択する候補基地局選択部と、
前記候補基地局から発信される時刻情報を含む特定信号を受信する受信部と、
時刻表示部の表示時刻情報を修正する時刻表示修正部と、
前記時刻表示修正部が前記表示時刻情報を修正するための修正時刻情報を前記候補基地局から発信される前記特定信号の前記時刻情報に基づいて生成する修正時刻生成部と、
前記修正時刻情報と前記表示時刻情報を比較して、前記修正時刻情報が前記表示時刻情報より進んでいるかを判断する修正時刻情報判断部と、を有し、
前記修正時刻情報判断部の判断結果に基づいて、前記時刻表示修正部が、前記候補基地局から発信される前記特定信号の前記時刻情報に基づいて生成された前記修正時刻情報のうちで、相対的にもっとも進んでいる前記修正時刻情報に基づいて前記表示時刻情報を修正する構成を有すること、
を特徴とする時刻修正装置付き計時装置。
【請求項７】
複数の基地局から候補基地局を選択する候補基地局選択部と、前記候補基地局から発信される時刻情報を含む特定信号を受信する受信部と、
時刻表示部の表示時刻情報を修正する時刻表示修正部と、
前記時刻表示修正部が前記表示時刻情報を修正するための修正時刻情報を前記候補基地局から発信される前記特定信号の前記時刻情報に基づいて生成する修正時刻生成部と、
前記修正時刻情報と前記表示時刻情報を比較して、前記修正時刻情報が前記表示時刻情報より進んでいるかを判断する修正時刻情報判断部と、を有し、
前記修正時刻情報判断部の判断結果に基づいて、前記時刻表示修正部が、は前記候補基地局から発信される前記特定信号の前記時刻情報に基づいて生成された前記修正時刻情報のうちで、相対的にもっとも進んでいる前記修正時刻情報に基づいて前記表示時刻情報を修正する工程を有すること、
を特徴とする時刻修正装置付き時刻修正方法。
【発明の詳細な説明】
【技術分野】
【０００１】
本発明は、例えばＣＤＭＡ（Ｃｏｄｅ  Ｄｉｖｉｓｉｏｎ  Ｍｕｌｔｉｐｌｅ  Ａｃｃｅｓｓ、符号分割多重接続）方式の携帯電話通信網で基地局から発信される信号に含まれる時刻情報に基づいて時刻修正を行う時刻修正装置、時刻修正装置付き計時装置及び時刻修正方法に関するものである。
【背景技術】
【０００２】
現在、ＣＤＭＡ方式の携帯電話通信網で基地局から携帯電話機に対して発信される信号には、時刻情報が含まれ、この時刻情報は、ＧＰＳ（Ｇｌｏｂａｌ  Ｐｏｓｉｔｉｏｎｉｎｇ  Ｓｙｓｔｅｍ）衛星の原子時計に基づくＧＰＳ時刻に合致した極めて精度の高い時刻情報となっている。
したがって、このＣＤＭＡ方式の携帯電話通信網で基地局から送信されるＧＰＳ時刻データを端末が取得し、このＧＰＳ時刻データを用いて内蔵時計の時刻情報データを補正しようとする提案がなされている（例えば、特許文献１）。
また、このようなＣＤＭＡ方式の携帯電話通信網で基地局から送信される時刻データを用いて、地域時間オフセットを算出し得ない地域においても正確な地域時間を算出しようとする提案がなされている（例えば、特許文献２）。
【特許文献１】特開２０００−３２１３８３号公報（要約等）
【特許文献２】特開２００４−３４３７５８号公報（段落００１２等）
【発明の開示】
【発明が解決しようとする課題】
【０００３】
ところで、このようなＣＤＭＡ方式の携帯電話通信網で基地局から送信される時刻データである時刻情報を受信機側が受け取る際には、基地局と受信機側の距離に依存する伝搬遅延時間を含む時刻情報となっている。そのため、時計等の時刻の精度を高く維持して、正確な時刻修正を行いたい場合は、この伝搬遅延時間を受信機側で処理して、補正する必要がある。
この場合、基地局と受信機の距離が予め明らかであれば、送信される信号の伝搬速度に基づいて、伝搬遅延時間を知ることができ、これに基づいて補正することができる。
しかし、受信機側の位置が固定されず、一定でない場合は、つまり、受信機側が移動するような場合は、基地局との距離は不明であるため、伝搬遅延時間を受信機側で知ることができない。このため、受信機側では、受信した時刻情報から、伝搬遅延時間の補正ができず、時計等の時刻の精度を高く維持できないという問題があった。
【０００４】
そこで、本発明は、受信機側と基地局との距離が不明な場合でも、受信した時刻情報を使用しつつ、伝搬遅延時間の少ない正確な時刻修正を行うことができる時刻修正装置、時刻修正装置付き計時装置及び時刻修正方法を提供することを目的とする。
【課題を解決するための手段】
【０００５】
本発明は、上述の課題の少なくとも一部を解決するためになされたものであり、以下の形態又は適用例として実現することが可能である。
【０００６】
[適用例１] 
複数の基地局から候補基地局を選択する候補基地局選択部と、前記候補基地局から発信される時刻情報を含む特定信号を受信する受信部と、時刻表示部の表示時刻情報を修正する時刻表示修正部と、前記時刻表示修正部が前記表示時刻情報を修正するための修正時刻情報を前記候補基地局から発信される前記特定信号の前記時刻情報に基づいて生成する修正時刻生成部と、前記修正時刻情報と前記表示時刻情報を比較して、前記修正時刻情報が前記表示時刻情報より進んでいるかを判断する修正時刻情報判断部と、を有し、前記修正時刻情報判断部の判断結果に基づいて、前記時刻表示修正部が、前記候補基地局から発信される前記特定信号の前記時刻情報に基づいて生成された前記修正時刻情報のうちで、相対的にもっとも進んでいる前記修正時刻情報に基づいて前記表示時刻情報を修正する構成を有すること、を特徴とする時刻修正装置。
【０００７】
前記構成によれば、候補基地局選択部は、複数の基地局から候補基地局を選択するようになっており、修正時刻情報判断部は、複数の候補基地局から発信される特定信号に含まれる時刻情報に基づいて生成した修正時刻情報と表示時刻情報を比較して、表示時刻情報より修正時刻情報が進んでいるかを判断する。そして、時刻表示修正部は、修正時刻情報判断部の判断結果に基づいて、修正時刻情報により表示時刻情報を修正するようになっており、複数の候補基地局から発信される特定信号の時刻情報に基づいて生成された修正時刻情報のうちで、相対的にもっとも進んでいる修正時刻情報に基づいて表示時刻情報を修正する構成を有している。
この修正時刻情報は、基地局から発信される特定信号を受信部が受信し、その特定信号に含まれる時刻情報により生成される。従って、この修正時刻情報は、受信部が特定信号を受信した際には、基地局と受信部側の距離による伝搬遅延時間を含んだ情報となっている。しかし、本発明の時刻表示修正部は、表示時刻情報より進んでいる修正時刻情報に基づいて表示時刻情報を修正するようになっている。そして、時刻表示修正部は、相対的に進んでいる修正時刻情報に基づいて表示時刻情報を修正する構成となっている。
このため、より伝搬遅延時間の少ない修正時刻情報に基づいて、表示時刻情報が修正され、より正確な時刻で表示時刻が修正されることができるようになっている。また、近い基地局からの電波信号に基づき、表示時刻情報の修正を行うことができるようになっている。
【０００８】
[適用例２]
好ましくは、前記受信部は、前記候補基地局ごとに前記特定信号を受信する構成を備えており、前記修正時刻生成部は、受信された前記特定信号に含まれる前記時刻情報ごとに前記修正時刻情報を生成する構成を有し、前記修正時刻情報判断部は、前記修正時刻生成部で生成された前記修正時刻情報ごとに順番に前記表示時刻情報と比較して、判断する構成を備えていることを特徴する時刻修正装置。
【０００９】
前記構成によれば、受信部は、候補基地局ごとに特定信号を受信する。また、修正時刻生成部は、受信された特定信号に含まれる時刻情報ごとに修正時刻情報を生成し、修正時刻情報判断部は、修正時刻生成部で生成された修正時刻情報ごとに順番に表示時刻情報と比較して、判断する。
このため、受信の際に一度に消費される電力を抑えることができる。
【００１０】
[適用例３]
好ましくは、前記受信部が前記候補基地局から最初に前記特定信号を受信した際には、前記時刻表示修正部は、最初に受信された前記特定信号に含まれている前記時刻情報から生成された前記修正時刻情報に基づいて前記表示時刻情報を修正する構成を備えていることを特徴とする時刻修正装置。
【００１１】
前記構成によれば、時刻表示修正部は、受信部が候補基地局から最初に受信した際の特定信号に含まれる時刻情報により生成された修正時刻情報に基づいて、表示時刻情報を修正することができるようになっている。
【００１２】
[適用例４]
好ましくは、前記時刻情報は、前記受信部が受信する時刻である受信側時刻情報から一定時間経過後の未来時刻情報となっており、前記未来時刻情報と前記受信側時刻情報との差分時間情報が格納されている差分時間情報格納部と、を有し、前記修正時刻生成部は、前記受信部が受信した前記未来時刻情報と前記差分時間情報に基づいて前記修正時刻情報を生成する構成を備えることを特徴とする時刻修正装置。
【００１３】
前記構成によれば、時刻情報は、受信部が受信する時刻である受信側時刻情報から一定時間経過後の未来時刻情報となっている。また、未来時刻情報と受信側時刻情報との差分時間情報が格納される差分時間情報格納部を有している。また、修正時刻生成部は、未来時刻情報と差分時間情報に基づいて、表示時刻情報を修正するための修正時刻情報を生成するようになっている。
このため、修正時刻生成部は、より正確な修正時刻情報の生成を行うことができるようになっている。
また、前記構成では、基地局から受信した未来時間について、当該未来時刻となるまで受信部が信号を受信し続ける必要がなく、正確な時刻情報を取得することができる。そして、受信部は、未来時刻情報を取得した後、信号を受信し続ける必要がなく、受信部が受信しない状態とすることができる。
従って、信号の受信する時間を減らすことができ、消費電力を低減することができる。
【００１４】
[適用例５]
好ましくは、前記基地局から発信される信号が、ＣＤＭＡ（Ｃｏｄｅ  Ｄｉｖｉｓｉｏｎ  Ｍｕｌｔｉｐｌｅ  Ａｃｃｅｓｓ、符号分割多重接続）方式の携帯電話通信網で基地局から発信される信号であることを特徴とする時刻修正装置。
【００１５】
前記構成によれば、基地局から発信される信号が、ＣＤＭＡ（Ｃｏｄｅ  Ｄｉｖｉｓｉｏｎ  Ｍｕｌｔｉｐｌｅ  Ａｃｃｅｓｓ、符号分割多重接続）方式の携帯電話通信網で基地局から発信される信号であるので、ＣＤＭＡ方式の携帯電話通信網を利用することで、精度の高い時刻修正を行うことができる。
【００１６】
[適用例６]
複数の基地局から候補基地局を選択する候補基地局選択部と、前記候補基地局から発信される時刻情報を含む特定信号を受信する受信部と、時刻表示部の表示時刻情報を修正する時刻表示修正部と、前記時刻表示修正部が前記表示時刻情報を修正するための修正時刻情報を前記候補基地局から発信される前記特定信号の前記時刻情報に基づいて生成する修正時刻生成部と、前記修正時刻情報と前記表示時刻情報を比較して、前記修正時刻情報が前記表示時刻情報より進んでいるかを判断する修正時刻情報判断部と、を有し、前記修正時刻情報判断部の判断結果に基づいて、前記時刻表示修正部が、前記候補基地局から発信される前記特定信号の前記時刻情報に基づいて生成された前記修正時刻情報のうちで、相対的にもっとも進んでいる前記修正時刻情報に基づいて前記表示時刻情報を修正する構成を有すること、を特徴とする時刻修正装置付き計時装置。
【００１７】
[適用例７]
複数の基地局から候補基地局を選択する候補基地局選択部と、前記候補基地局から発信される時刻情報を含む特定信号を受信する受信部と、時刻表示部の表示時刻情報を修正する時刻表示修正部と、前記時刻表示修正部が前記表示時刻情報を修正するための修正時刻情報を前記候補基地局から発信される前記特定信号の前記時刻情報に基づいて生成する修正時刻生成部と、前記修正時刻情報と前記表示時刻情報を比較して、前記修正時刻情報が前記表示時刻情報より進んでいるかを判断する修正時刻情報判断部と、を有し、前記修正時刻情報判断部の判断結果に基づいて、前記時刻表示修正部が、前記候補基地局から発信される前記特定信号の前記時刻情報に基づいて生成された前記修正時刻情報のうちで、相対的にもっとも進んでいる前記修正時刻情報に基づいて前記表示時刻情報を修正する工程を有すること、を特徴とする時刻修正装置付き時刻修正方法。
【発明を実施するための最良の形態】
【００１８】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１９】
図１は、本発明に係る時刻修正装置付き計時装置である例えば、時刻修正装置付き腕時計１０（以下「腕時計」という）を示す概略図であり、図２は、図１の腕時計１０の内部の主なハードウエア構成等を示す概略図である。
図１に示すように、腕時計１０は、その表面に文字板１２、長針、短針等の針１３等が配置されると共に、各種メッセージが表示されるＬＥＤ等からなるディスプレイ１４が形成されている。なお、ディスプレイ１４は、ＬＥＤの他、ＬＣＤ、アナログ表示等でも構わない。
【００２０】
図１に示すように、腕時計１０は、アンテナ１１を有しており、このアンテナ１１は、基地局である例えば、ＣＤＭＡ基地局１５ａ、１５ｂ、１５ｃ、１５ｄ等からの信号を受信する構成となっている。つまり、ＣＤＭＡ基地局１５ａ等は、ＣＤＭＡ方式の携帯電話通信網の基地局となっている。
しかし、本実施の形態の腕時計１０は携帯電話機能を有していないためＣＤＭＡ基地局１５ａ等と電話通信をするものではなく、ＣＤＭＡ基地局１５ａ等から送信される信号から時刻情報等を受信し、その信号に基づいて時刻修正をしようとするものである。ＣＤＭＡ基地局１５ａ等から送信される信号の内容については後述する。
また、図１に示すように、腕時計１０には、その利用者が操作可能なりゅうず２８が形成されている。このりゅうず２８は、腕時計１０の利用者が操作可能な外部入力部となっている。
【００２１】
先ず、図１の腕時計１０のハードウエア構成等について説明する。図２に示すように、腕時計１０はＩＦ（ｉｎｔｅｒｆａｃｅ（インターフェース））、Ｉ／Ｏ（ｉｎｐｕｔ／ｏｕｔｐｕｔ（入出力））、電源ライン２０を備え、ＩＦ、Ｉ／Ｏ、電源ライン２０には、ＣＰＵ（Ｃｅｎｔｒａｌ  Ｐｒｏｃｅｓｓｉｎｇ  Ｕｎｉｔ）２１、ＲＡＭ（Ｒａｎｄｏｍ  Ａｃｃｅｓｓ  Ｍｅｍｏｒｙ）２２、ＲＯＭ（Ｒｅａｄ  Ｏｎｌｙ  Ｍｅｍｏｒｙ）２３等が接続されている。
また、ＩＦ、Ｉ／Ｏ、電源ライン２０には、ＣＤＭＡ基地局１５ａ等からの信号を受信する受信部である例えば、ＣＤＭＡ基地局電波受信機２４が接続されている。このＣＤＭＡ基地局電波受信機２４は、図１のアンテナ１１を有している。
また、ＩＦ、Ｉ／Ｏ、電源ライン２０には、時計機構であるＩＣ（半導体集積回路）等からなるリアルタイムクロック（ＲＴＣ）２５や温度補償回路付き水晶発振回路（ＴＣＸＯ）２６等も接続されている。
【００２２】
このように、図１の文字板１２、針１３、図２のＲＴＣ２５及びＴＣＸＯ２６等は、表示時刻情報を表示する時刻表示部の一例となっている。
【００２３】
また、ＩＦ、Ｉ／Ｏ、電源ライン２０には、電池２７、ディスプレイ１４及びタイマー２９等も接続されている。タイマー２９の機能等については後述する。
このように、ＩＦ、Ｉ／Ｏ、電源ライン２０は、すべてのデバイスを接続する機能を有し、アドレスやデータバス、電源ライン、各種Ｉ／Ｏを有する内部配線である。ＣＰＵ２１は、所定のプログラムの処理を行う他、ＩＦ、Ｉ／Ｏ、電源ライン２０に接続されたＲＯＭ２３等を制御している。ＲＯＭ２３は、各種プログラムや各種情報等を格納している。
【００２４】
図３乃至図６は、腕時計１０の主なソフトウエア構成等を示す概略図であり、図３は全体図である。
図３に示すように、腕時計１０は、制御部１８を有し、制御部１８は、図３に示す各種プログラム格納部３０内の各種プログラム、第１の各種データ格納部４０内の各種データ及び第２の各種データ格納部５０内の各種データを処理する構成となっている。
また、図３には、各種プログラム格納部３０、第１の各種データ格納部４０及び第２の各種データ格納部５０と分けて示してあるが、実際に、このようにデータが分けて格納されているわけではなく、説明上の便宜のために分けて記載したものである。
なお、図３の第１の各種データ格納部４０には、主に予め格納されているデータをまとめて示した。また、第２の各種データ格納部５０には、第１の各種データ格納部４０内のデータ等を各種プログラム格納部３０内のプログラムで処理した後のデータ等を主に示した。
図４は、図３の各種プログラム格納部３０内のデータを示す概略図であり、図５は、図３の第１の各種データ格納部４０内のデータを示す概略図である。また、図６は、図３の第２の各種データ格納部５０内のデータを示す概略図である。
図７及び図８は、本実施の形態にかかる腕時計１０の主な動作等を示す概略フローチャートである。
【００２５】
以下、図７及び図８のフローチャートにしたがって本実施の形態に係る腕時計１０の動作等を説明しつつ、その関連で図４乃至図６の各種プログラムや各種データ等を説明する。
フローチャートの説明に入る前にＣＤＭＡ方式の携帯電話システムのうち、本実施の形態と関連ある部分を説明する。
ＣＤＭＡ方式の携帯電話システムは米国クアルコム社が開発した方式が１９９３年に米国の標準方式の一つ「ＩＳ９５」に採用されたことから本格的な運用が開始されており、これ以降、ＩＳ９５Ａ、ＩＳ９５Ｂ、ＣＤＭＡ２０００という改訂を経て現在に至っている。また、日本国ではＡＲＩＢ  ＳＴＤ−Ｔ６４に準じて携帯電話システムが運用されている。
このようなＣＤＭＡ方式は下り（ＣＤＭＡ基地局１５ａ等から移動局、本実施の形態では腕時計１０）は同期通信であるため、腕時計１０がＣＤＭＡ基地局１５ａ等の信号と同期する必要がある。ＣＤＭＡ基地局１５ａ等から送信される信号は、具体的には、パイロットチャネル信号と、シンクチャネル信号を有している。パイロットチャネル信号は、ＣＤＭＡ基地局１５ａ等ごとに、異なったタイミングで発信されている信号であり、例えば、パイロットＰＮ信号である。
【００２６】
図１０は、ＣＤＭＡ基地局１５ａ、１５ｂ、１５ｃ、１５ｄのうち、例えば、ＣＤＭＡ基地局１５ａ、１５ｂから送信される信号の同期タイミング等を示す概略図である。
これらのＣＤＭＡ基地局１５ａ、１５ｂ、１５ｃ、１５ｄから送信される信号は、同じであるため、この信号がどのＣＤＭＡ基地局１５ａ等から発信したかを識別するため、各ＣＤＭＡ基地局１５ａ等は、それぞれ他のＣＤＭＡ基地局１５ａ等と異なるタイミングで信号を発信している。
具体的には、このタイミングの相違は、ＣＤＭＡ基地局１５ａ等が発信するパイロットＰＮ信号の相違として表れる。例えば、図１０（ｂ）のＣＤＭＡ基地局１５ｂの信号は、図１０（ａ）のＣＤＭＡ基地局１５ａの信号より僅かに遅れたタイミングで信号を発信している。具体的には、６４ｃｈｉｐ（０．０５２ｍｓ（ミリ秒））分だけ、パイロットＰＮオフセットを設けている。
このように多数のＣＤＭＡ基地局１５ａ等が存在しても、各ＣＤＭＡ基地局１５ａ等が６４ｃｈｉｐの整数倍だけ、それぞれ異なるパイロットＰＮオフセットを設けることで、受信する腕時計１０は、どのＣＤＭＡ基地局１５ａ等からの信号を受信したかを容易に把握することができる構成となっている。このパイロットＰＮオフセットは基地局の一例であるＣＤＭＡ基地局１５ａ等を識別するための基地局識別情報となっている。
また、これらのＣＤＭＡ基地局１５ａ等と腕時計１０の距離が離れている場合には、腕時計１０がＣＤＭＡ基地局１５ａ等からの信号を受信する際には、その距離に依存する伝搬遅延時間が含まれている。
従って、本実施形態では、このような伝搬遅延時間を含んでいても、伝搬遅延時間のより小さい時刻に腕時計１０の時刻を修正できるような構成としている。
【００２７】
また、ＣＤＭＡ基地局１５ａ等から発信される信号（特定信号の一例）には、シンクチャネル信号があり、これが図９のシンクチャネルメッセージである。図９は、シンクチャネルメッセージの内容を示す概略図である。
図９に示すように、シンクチャネルメッセージには、上述したパイロットＰＮ信号のデータ、例えば、パイロットＰＮオフセットデータが６４ｃｈｉｐ（０．０５２ｍｓ）×Ｎ（０〜５１２）であることを示すデータが含まれている。このデータは、図９では「ＰＩＬＯＴ＿ＰＮ」で表されている。
また、シンクチャネルメッセージには、ＧＰＳ時刻データであるシステム時間のデータも含まれている。
システム時間は、１９８０年１月６日０時からの８０ｍｓ単位の積算時間となっている。このデータは、図９では「ＳＹＳ＿ＴＩＭＥ」で表されている。
【００２８】
また、シンクチャネルメッセージには、世界協定時（ＵＴＣ）に換算するための「うるう秒」のデータも含まれている。このデータは、図９では、「ＬＰ＿ＳＥＣ」で表されている。
また、シンクチャネルメッセージには、腕時計１０が所在する国又は地域のＵＴＣに対する時差データである、ローカルオフセット時間が含まれている。すなわち、例えば、日本の場合は、ＵＴＣに９時間プラスされた時間である旨のデータ等が格納されている。
このデータは、図９では、「ＬＴＭ＿ＯＦＦ」で表される。
また、シンクチャネルメッセージには、腕時計１０が所在する国や地域がサマータイム等を採用しているか否かのサマータイムデータも含まれている。日本の場合は、サマータイム制を採用していないため、そのデータは「０」となる。このデータは、図９では、「ＤＡＹＬＴ」で表される。
【００２９】
図９のシンクチャネルメッセージには、以上のような内容のデータが含まれるが、具体的には、各データは時系列に順番に送信される。送信される信号は、図１０に示す、８０ｍｓ単位からなるスーパーフレーム単位で送信され、シンクチャネルメッセージの最後のデータが含まれるのが、図１０のラストスーパーフレームとなる。
すなわち、図１０のラストスーパーフレームの最後のタイミング（図１０（ａ）の「Ｅ」及び（ｂ）の「ＥＥ」で示す部分）が、シンクチャネルメッセージの受信完了のタイミングとなっている。
つまり、上述のシンクチャネルメッセージに含まれるシステム時間は、このラストスーパーフレームの最後のタイミング（「Ｅ」「ＥＥ」）を基準として定められている。
具体的には、ＣＤＭＡ方式では、図１１のシンクチャネルメッセージの上述のシステム時刻は、図１０の「Ｅ」「ＥＥ」における時刻とはなっておらず、４スーパーフレーム（３２０ｍｓ）後における時刻、すなわち、図１０の「Ｆ」「ＦＦ」における時刻となっている。この時刻が未来時刻情報の一例となる。
【００３０】
これは、ＣＤＭＡがそもそも携帯電話で通信するためのシステムであることに基づく。つまり、携帯電話機は、ＣＤＭＡ基地局１５ａ等から図９に示す、シンクチャネルメッセージを受信した後、ＣＤＭＡ基地局１５ａ等との同期通信をするための準備を携帯電話機内で行う必要がある。
具体的には、次のステージである「待ち受け状態」へ遷移するための準備をした後、ＣＤＭＡ基地局１５ａ等と同期をとり通信することになる。
そこで、この準備時間を考慮して、ＣＤＭＡ基地局１５ａ等は、予め未来の時刻である３２０ｍｓ後の時間を、事前に送信し、この時間を受信した携帯電話機が内部で処理を行い、準備が終わった後、この時刻でＣＤＭＡ基地局１５ａ等と同期を取りに行くと同期を取りやすくなるという構成となっている。換言すれば、この４スーパーフレーム（３２０ｍｓ）が携帯電話機側の準備時間となっている。
【００３１】
このように、腕時計１０が例えばＣＤＭＡ基地局１５ｂの信号を受信した場合、パイロットＰＮオフセットを換算した際のラストスーパーフレームの最後のタイミングは、「ＥＥ」の時点となるはずである。
【００３２】
以上が、本実施の形態におけるＣＤＭＡ方式の携帯電話システムの概略であり、以上の前提で、以下、本実施の形態を説明する。
本実施の形態の腕時計１０は、ＣＤＭＡ基地局１５ａ等から取得したシンクチャネルメッセージの情報に基づいて、表示時刻の修正用のデータを作成して修正する。そして、このような工程を繰り返すことで、最終的には、候補のＣＤＭＡ基地局１５ａ乃至１５ｄの中で、相対的にもっとも進んでいるデータで表示時刻を修正するようになっている。
つまり、複数のＣＤＭＡ基地局１５ａ等から候補のＣＤＭＡ基地局１５ａ乃至１５ｄを選択する。そして、候補のＣＤＭＡ基地局１５ａ乃至１５ｄから１つのＣＤＭＡ基地局１５ａ等を任意に選択し、そのシンクチャネルメッセージの情報を取得する。次に、そのシンクチャネルメッセージの情報から表示時刻を修正するためのデータを作成する。最初（初回）は、その作成したデータで、表示時刻の修正を行う。
その後、他の候補のＣＤＭＡ基地局１５ａ等からのシンクチャネルメッセージの情報を取得して、そのシンクチャネルメッセージの情報から作成したデータと表示時刻のデータを比較する。次に、その作成されたデータが、表示時刻のデータより進んでいた場合には、そのデータで、表示時刻の修正を行う。そして、この工程を繰り返すことで、候補のＣＤＭＡ基地局１５ａ等の中で、相対的にもっとも進んでいるデータにより表示時刻が、修正されるようになっている。
【００３３】
以下で、更に本実施の形態について説明する。本実施の形態では、図１の腕時計１０が、１日に１回、すなわち２４時間に１回の時刻修正を自動的に行う場合を説明する。
腕時計１０の時刻修正をする場合は、先ず、腕時計１０の図２に示すＣＤＭＡ基地局電波受信機２４は、図７のＳＴ１に示すように、図１のＣＤＭＡ基地局１５ａ等から送信される電波のうち、パイロットチャネルの信号電波を受信するためのパイロットチャネルスキャンを行う。つまり、図４の基地局サーチプログラム３７が、複数のＣＤＭＡ基地局１５ａ等から、候補となるＣＤＭＡ基地局１５ａ、１５ｂ、１５ｃ、１５ｄを選択する。
ここで、基地局サーチプログラム３７は、候補基地局選択部の一例となっている。
その後、ＳＴ２で、ＣＤＭＡ基地局電波受信機２４は、ＣＤＭＡ基地局１５ａ等からのパイロットチャネル信号を受信する。具体的には、図４のパイロットチャネル信号受信プログラム３１が動作して、候補となるＣＤＭＡ基地局１５ａ乃至１５ｄのうちから、任意に１つのＣＤＭＡ基地局１５ａ等からのパイロットチャネル信号を受信する。例えば、図４のパイロットチャネル信号受信プログラム３１が動作して、ＣＤＭＡ基地局１５ａからのパイロットチャネル信号を受信する。
次に、図７のＳＴ３で、受信したパイロットチャネル信号にパイロットＰＮコードをミキシングして同期をとる。
【００３４】
具体的には、図４のパイロットＰＮ同期プログラム３２が動作し、図１０に示すような、８０／３ｍｓ毎のパイロットチャネル信号（パイロットＰＮ信号）と同期を取る。つまり、電波をダウンコンバートし、図示しないベースバンド部が、パイロットチャネルの信号にパイロットＰＮコードをミキシングして同期を取る。
【００３５】
次にＳＴ４で、図４のパイロットＰＮ同期プログラム３２が、ＣＤＭＡ基地局１５ａのパイロットチャネル信号と同期が完了したか否かを判断し、同期が完了しない場合は、ＳＴ５で、腕時計１０が有するサービスエリアテーブルを全て参照したか（一巡したか）判断し、全て参照していない場合は、ＳＴ６に進む。
ＳＴ６では、日本、アメリカ、中国、カナダ等におけるＣＤＭＡ基地局１５ａ等のデータである図５のサービスエリアデータ４２を参照し、そのデータに基づきＳＴ１のパイロットチャネルスキャンを行う。
つまり、例えば、腕時計１０は、日本のＣＤＭＡ基地局１５ａ等を探しているが、実際はアメリカに所在していたという場合は、ＳＴ３でパイロットチャネル信号と同期を取ることができない。そこで、ＳＴ６でアメリカのＣＤＭＡ基地局１５ａ等のデータを取得し、そのデータに基づき、ＳＴ１のパイロットチャネルスキャンを行う。
【００３６】
一方、ＳＴ５で、腕時計１０が持っている図５のサービスエリアデータ４２を全て参照したにもかかわらずパイロットチャネル信号との同期を取ることができないときは、ＳＴ７に進む。ＳＴ７では、ユーザに時刻修正が行われていないことを示すため、例えば、図１の秒針を３秒動かすことで、その旨をユーザに知らせる。そして、時刻修正をユーザ判断に任せ、終了する。このようにすることで、通常とは違うことを腕時計１０のユーザに知らせることができる。
【００３７】
一方、ＳＴ４で、パイロットチャネル信号との同期が完了したときは、ＳＴ８に進む。ＳＴ８では、パイロットチャネルからシンクチャネルに切り替えられ、シンクチャネルメッセージの受信を開始する。
具体的には、図４のシンクチャネルメッセージ受信プログラム３３が図９に示すような、シンクチャネルメッセージの受信を開始する。
次に、ＳＴ９でシンクチャネルメッセージの受信が完了したか否かを判断し、シンクチャネルメッセージの受信が完了していないときは、ＳＴ１０でタイムアウトかを判断し、タイムアウトの場合は、再び、ＳＴ８でシンクチャネルメッセージを受信し直す。
また、ＳＴ１０で、タイムアウトで無い場合は、ＳＴ９でシンクチャネルメッセージの受信が完了するまで受信するようになっている。
【００３８】
一方、ＳＴ９で、シンクチャネルメッセージの受信が完了すると、図８のＳＴ１１に進み、図２のＣＤＭＡ基地局電波受信機２４が信号の受信を停止する。
具体的には、図４の受信機制御プログラム３４が動作して、ＣＤＭＡ基地局電波受信機２４のＣＤＭＡ基地局１５ａからの電波受信を停止する。つまり、図１０のラストスーパーフレームの終了のタイミングである「Ｅ」（ＣＤＭＡ基地局１５ｂの場合は、例えば「ＥＥ」）で示すタイミングで電波受信を終了する。
これで、腕時計１０は、図９に示す全てのシンクチャネルメッセージを受信したことになり、このシンクチャネルメッセージは、図６のシンクチャネルメッセージデータ５１として格納される。  
【００３９】
次にＳＴ１２に進む。ＳＴ１２以降では、既にＣＤＭＡ基地局１５ａから取得したシンクチャネルメッセージの情報に基づいて、表示時刻の修正用のデータを作成して修正するする工程となる。これらの工程は、取得したシンクチャネルメッセージの情報から表示時刻を修正するためのデータを作成し、最初（初回）では、表示時刻のデータを作成したデータで修正を行う。次に、他の候補のＣＤＭＡ基地局１５ａ等から取得したシンクチャネルメッセージの情報からデータを作成した場合は、そのデータと、表示時刻のデータを比較する。そして、作成されたデータが表示時刻のデータより進んでいる場合には、その作成されたデータで、表示時刻の修正が行われるようになっている。
上述したように、ＣＤＭＡ基地局１５ａ等から発信される信号には、４スーパーフレーム後の未来時刻情報を含む。これは、図１０（ａ）のＣＤＭＡ基地局１５ａ等の信号が、図１の腕時計１０のアンテナ１１で受信される際には、ＣＤＭＡ基地局１５ａ等と腕時計１０の距離に依存する伝搬遅延時間を含むデータとなっている。
これは、ＣＤＭＡ基地局１５ａ等からの信号が発信されると同時に腕時計１０で受信が可能となるわけではなく、ＣＤＭＡ基地局１５ａ等からの信号が、受信機側である腕時計１０に到達して初めて受信可能となるからである。
つまり、このような信号は、一定の速度で送信されるのであり、送信側であるＣＤＭＡ基地局１５ａ等と受信機側である腕時計１０との距離に対応する時間分（伝搬遅延時間）を加算した時間が、実際に腕時計１０が受信するタイミングとなる。
従って、腕時計１０の時刻と、ＣＤＭＡ基地局１５ａ等から発信された信号に基づく時刻情報を比較し、腕時計１０の時刻より進んでいる場合には、その時刻情報に基づき腕時計１０の時刻を修正していくことで、この伝搬遅延時間を最小に抑えることができるようになっている。
つまり、受信機側である腕時計１０と送信側であるＣＤＭＡ基地局１５ａ等の距離がより近いＣＤＭＡ基地局１５ａ等から送信されたシンクチャネルメッセージの時刻のデータに基づいて、時刻修正を行っていくことで、より正確な、つまり、伝搬遅延時間の少ない時刻のデータで修正を行うことができる。
【００４０】
この際、腕時計１０側が、複数のＣＤＭＡ基地局１５ａ等からの信号を一度に受信して、シンクチャネルメッセージを取得し、その中で一番近いＣＤＭＡ基地局１５ａ等からのシンクチャネルメッセージの情報に基づいて、腕時計１０の時刻を修正しても良い。
しかし、本実施形態では、腕時計１０が一度に消費する電力を低減するため、複数のＣＤＭＡ基地局１５ａ等のうち１つずつのＣＤＭＡ基地局１５ａ等ごとに、信号を受信してシンクチャネルメッセージを取得するようになっている。そして、その取得したシンクチャネルメッセージの情報に基づいて、時刻を修正するためのデータが作成され、作成されたデータに基づき、以下に説明する工程が行われるようになっている。つまり、１つのＣＤＭＡ基地局１５ａ等からのシンクチャネルメッセージに基づいたデータが作成され、以下の工程が終了すると、再び、受信機側である腕時計１０は他のＣＤＭＡ基地局１５ａ等からの信号を受信する。そして、シンクチャネルメッセージが取得され、その取得されたシンクチャネルメッセージの情報からデータが作成され、その後の工程が行われる。そのため、結果的に一番、伝搬遅延時間の少ない、つまり、受信機側である腕時計１０に一番近いＣＤＭＡ基地局１５ａ等からの信号に基づき、腕時計１０の時刻の修正が行われるようになっている。
従って、腕時計１０は、より正確な時刻に修正されるようになっている。
【００４１】
ＳＴ１２では、腕時計１０は、例えば日本に所在するため、図６のシンクチャネルメッセージデータ５１から、ＧＰＳ時刻、うるう秒、ローカルオフセット時間（日本の場合は、ＵＴＣに９時間を加える）、サマータイム時間（日本の場合は、サマータイムが無いので０時間を加える）を抽出して、図４の修正用時刻データ算出プログラム３５が動作し、ＣＤＭＡ基地局１５ａの発信している時刻のデータを算出し、これから３２０ｍｓを減算して、パイロットチャネル信号のオフセット時間を加算し、修正用時刻データを求め、図６の修正用時刻データ５２として格納される。
【００４２】
具体的には、ＧＰＳ時刻を基本にうるう秒データに基づいてＵＴＣ時刻を算出する。次いで、このＵＴＣ時刻に基づき、ローカルオフセット時間で、例えば、９時間を加算し、日本時刻とする。また、日本では、サマータイムを採用していないので、サマータイム時間の補正は実質的には行わない。なお、サマータイム制を採用している国にあっては、サマータイム時間の補正は、極めて精度の高い時刻補正となる。次に、算出された時刻から、４スーパーフレーム分の３２０ｍｓが減算され、そして、パイロットチャネル信号のオフセット時間が加算され、修正用時刻データとなり、図６の修正用時刻データ５２として格納される。
【００４３】
ここで、４スーパーフレーム分の３２０ｍｓを減算する理由は、図１０で説明すると、以下のようになる。つまり、腕時計１０が図１０のＣＤＭＡ基地局１５ａの信号を受信し、そのシンクチャネルメッセージを取得したとする。この受信した時刻（ＧＰＳ時刻）は、上述したパイロットＰＮオフセットデータが、０ｃｈｉｐ（０ｍｓ）の場合の時刻を基準とした、ラストスーパーフレームの最後のタイミングから４スーパーフレーム（３２０ｍｓ）後の時刻情報（図１０の例では、「Ｆ」における時刻）となっている。
その為、この時刻（図１０の例では、「Ｆ」における時刻）から、３２０ｍｓ（４スーパーフレーム分）を減算すると、図１０の「Ｆ」の時刻は、図１０の「Ｅ」における時刻情報となる。
【００４４】
次に、パイロットチャネル信号のオフセット時間を加算する理由は、図１０で説明すると、ＣＤＭＡ基地局１５ｂからの信号は、ＧＰＳ時刻に比べ基地局固有の時差であるパイロットＰＮオフセット分だけ遅延している。つまり、ＣＤＭＡ基地局１５ｂは、そのパイロットＰＮオフセットが、例えば、６４ｃｈｉｐ（０．０５２ｍｓ）があるため、図１０のＣＤＭＡ基地局１５ｂの実際にラストスーパーフレームの最後を受信したタイミングである「ＥＥ」は、腕時計１０が取得したＧＰＳ時刻にパイロットＰＮオフセットを加算した時刻となる。
このため、ＣＤＭＡ基地局１５ｂの信号は、パイロットＰＮオフセットが０．０５２ｍｓであるので、その分を加算する。すると、ラストスーパーフレーム受信完了時（ＥＥ）のＧＰＳ時刻に基づく、たとえば、日本時刻が生成される。
これは、図４の修正用時刻データ算出プログラム３５が、ＣＤＭＡ基地局１５ａ等の発信している時刻のデータを算出し、図５の差分時間データ４３及びパイロットＰＮオフセット時間データ４４等に基づいて行い、その結果を図６の修正用時刻データ５２として格納する。図５における差分時間データ４３の一例が、上述の３２０ｍｓ（４スーパーフレーム）というデータであり、第１の各種データ格納部４０に格納されている。また、図５のパイロットＰＮオフセット時間データ４４の一例が、上述の６４ｃｈｉｐ（０．０５２ｍｓ）というデータであり、第１の各種データ格納部４０に格納されている。
【００４５】
ここで、ＣＤＭＡ基地局１５ａ等から発信された信号であるシンクチャネルメッセージは、特定信号の一例となっている。このシンクチャネルメッセージに含まれるＧＰＳ時刻等は、時刻情報の一例となっている。そして、このシンクチャネルメッセージに含まれるＧＰＳ時刻等は、受信部（例えば、ＣＤＭＡ基地局電波受信機２４）が受信する時刻である受信時刻情報（例えば、図１０の「Ｅ」における時刻情報等）から一定時間経過後（例えば、３２０ｍｓ経過後）の未来時刻情報の一例となっている。また、図５の差分時間データ４３は、差分時間情報の一例となっており、この差分時間データ４３を格納している第１の各種データ格納部４０は、差分時間情報格納部の一例ともなっている。
そして、図４の修正用時刻データ算出プログラム３５は、受信部（例えば、ＣＤＭＡ基地局電波受信機２４）が受信した時刻情報（例えば、シンクチャネルメッセージデータ５１のＧＰＳ時刻等）に基づいて、修正用時刻情報（例えば、修正用時刻データ５２）を生成する、修正時刻生成部の一例となっている。また、修正用時刻データ算出プログラム３５は、受信部（例えば、ＣＤＭＡ基地局電波受信機２４）が受信した未来時刻情報（例えば、図１０の「Ｅ」における時刻情報等から一定時間、例えば、３２０ｍｓ経過後）と差分時間情報（例えば、差分時間データ４３）に基づいて、表示時刻情報（例えば、表示時刻用データ５３）を修正するための修正時刻情報（例えば、修正用時刻データ５２）を生成する、修正時刻生成部の一例となっている。  
そのため、未来時刻となるまで受信部が信号を受信し続ける必要がなく、正確な時刻情報を取得することができる。そして、受信部は、未来時刻情報を取得した後、信号を受信し続ける必要がなく、受信部が受信しない状態とすることができる。従って、信号の受信する時間を減らすことができ、消費電力を低減することができる。
【００４６】
ところで、上述したように、この修正用時刻データ５２は、ＣＤＭＡ基地局１５ａと腕時計１０との距離に対応する伝搬遅延時間を含んでいる。
そこで、本実施形態では、ＳＴ１３の工程が行われる。すなわち、図４の修正時刻情報判断プログラム３８が動作して、図６の修正用時刻データ５２と表示時刻用データ５３を比較し、修正用時刻データ５２が表示時刻用データ５３より進んでいるかを判断する。この表示時刻用データ５３は、腕時計１０の時刻表示部（例えば、針１３、文字板１２等）に表示する時刻のデータである表示時刻情報の一例となっている。
【００４７】
このとき、表示時刻用データ５３より修正用時刻データ５２が、進んでいる場合は、後述するＳＴ１４の工程に進む。
【００４８】
一方、ＳＴ１３で、修正用時刻データ５２が表示時刻用データ５３より進んでいない場合は、この修正用時刻データ５２では、ＳＴ１６に進む。
【００４９】
ＳＴ１６では、Ｎ＝０かが判断される。つまり、図３のＣＤＭＡ基地局電波受信機２４が、ＣＤＭＡ基地局１５ａ等からのシンクチャネルメッセージの受信が最初であるか否かが判断される。すなわち、腕時計１０の時刻修正を１日１回のタイミングで行う場合の、シンクチャネルメッセージを最初に受信した場合であるかが判断される。実際には、図６のシンクチャネルメッセージ取得回数カウントデータ５４がＮ＝０となっているかどうかが判断される。
ＳＴ１６で、Ｎ＝０で無い場合、つまり、最初でない場合は、ＳＴ１５に進む。
【００５０】
一方、ＳＴ１６で、Ｎ＝０であると判断されると、最初であることから、ＳＴ１４に進む。  
ＳＴ１４では、図４のＲＴＣ及び時刻修正プログラム３６が動作し、修正用時刻データ５２に基づいて、図３のＲＴＣ２５や図１の針１３等を修正し、ＳＴ１５に進む。
【００５１】
ＳＴ１５では、他の候補のＣＤＭＡ基地局１５ａ等があるかの判断を行う。具体的には、ＳＴ１で、図４の基地局サーチプログラム３７が、受信することができるとして、選択した候補となるＣＤＭＡ基地局１５ａ、１５ｂ、１５ｃ、１５ｄの中で、既に受信したＣＤＭＡ基地局１５ａ以外があるか否かを判断する。
【００５２】
ＳＴ１５で、他に候補のＣＤＭＡ基地局１５ａ等が無いと判断されると、ＳＴ１９に進む。
ＳＴ１９では、図６のシンクチャネルメッセージ取得回数カウントデータ５４をリセットして、Ｎ＝０として、時刻修正の工程が終了する。
【００５３】
一方、既に受信したＣＤＭＡ基地局１５ａ等以外で、他に候補のＣＤＭＡ基地局１５ａ等があると判断されると、ＳＴ１７に進む。
ＳＴ１７では、図６のシンクチャネルメッセージ取得回数カウントデータ５４がＮ＝３となっているかが判断される。つまり、図４の基地局サーチプログラム３７が、選択した候補のＣＤＭＡ基地局１５ａ等は、例えば、４つであり、最初の受信の際には、Ｎ＝０となっているが、Ｎ＝３となっている場合は、全ての候補のＣＤＭＡ基地局１５ａ等の受信が終了していることになるからである。
そして、ＳＴ１７で、Ｎ＝３と判断されると、上述したＳＴ１９に進み、この時刻修正の工程が終了する。
【００５４】
一方、ＳＴ１７で、Ｎ＝３となっていない場合は、受信していない候補のＣＤＭＡ基地局１５ａ等があるので、ＳＴ１８に進む。ＳＴ１８では、Ｎ＝Ｎ＋１として、記憶されている図６のシンクチャネルメッセージ取得回数カウントデータ５４の値に１回分として１を加算して、シンクチャネルメッセージ取得回数カウントデータ５４として、その加算した値を記憶しておく。このようにすると、候補のＣＤＭＡ基地局１５ａ等からのシンクチャネルメッセージの受信回数がカウントでき、全ての候補のＣＤＭＡ基地局１５ａ等の受信が終了したかの判断を行うことができるようになっている。
【００５５】
ＳＴ１８で、シンクチャネルメッセージ取得回数カウントデータ５４の値に１を加算すると、図７のＳＴ２の工程に戻り、上述で説明したＳＴ２からＳＴ１８までの工程を再度、繰り返し行うようになっている。
【００５６】
従って、ＳＴ１〜ＳＴ１８の工程を繰り返し行っていくと、図６の修正用時刻データ５２のより進んでいる時刻で、表示時刻用データ５３が修正されていることになる。
つまり、上述の工程を繰り返すことで、伝搬遅延時間のより小さい、最小の伝搬遅延時間となるＣＤＭＡ基地局１５ａ等からの信号により、時刻表示部の修正を行うことができるようになっている。つまり、腕時計１０との距離が最短の位置に設置されているＣＤＭＡ基地局１５ａ等から発信された特定信号により、時刻表示部の修正を行うことができるので、より正確な時刻修正を行うことができるようになっている。しかも、本実施の形態では、上述の工程は、ＣＤＭＡ基地局１５ａ等毎に行っていくようになっているので、ＣＤＭＡ基地局１５ａ等からの信号を受信する際に、一度に使用される電力を抑えることができるので、小型の電子機器である腕時計１０にも搭載しやすいものとなっている。
一方、ＳＴ１５では、他の候補のＣＤＭＡ基地局１５ａ等が無いと判断されると、この一連の工程を終了するようになっている。
【００５７】
このように、図４の修正時刻情報判断プログラム３８は、修正時刻情報（例えば、修正用時刻データ５２）と表示時刻情報（例えば、表示時刻用データ）を比較して、修正時刻情報（例えば、修正用時刻データ５２）が表示時刻情報（例えば、表示時刻用データ５３）より進んでいるかを判断する修正時刻情報判断部の一例となっている。
そして、図４のＲＴＣ及び時刻修正プログラム３６は、修正時刻情報判断部（例えば、修正時刻情報判断プログラム３８）が、表示時刻情報（例えば、表示時刻用データ５３）より前記修正時刻情報（例えば、修正用時刻データ５２）が進んでいると判断した場合に、修正時刻情報（例えば、修正用時刻データ５２）に基づいて表示時刻情報（例えば、表示時刻用データ５３）を修正する構成となっている時刻表示修正部の一例である。
【００５８】
つまり、修正時刻情報（例えば、修正用時刻データ５２）は、基地局（例えば、ＣＤＭＡ基地局１５ａ等）と受信機側（例えば、ＣＤＭＡ基地局電波受信機２４、腕時計１０）との距離による伝搬遅延時間を含んだ情報となっている。
しかし、時刻表示修正部（例えば、ＲＴＣ及び時刻修正プログラム３６）は、常に表示時刻情報（例えば、表示時刻用データ５３）より進んでいる修正時刻情報（例えば、修正用時刻データ５２）に基づいて、表示時刻情報を修正するようになっているので、常に、伝搬遅延時間の少ない、より正確な時刻で表示時刻が修正されることができるようになっている。
【００５９】
また、本実施形態の上述の工程によれば、図４の基地局サーチプログラム３７によって、複数の基地局（例えば、ＣＤＭＡ基地局１５ａ等）から候補基地局（例えば、ＣＤＭＡ基地局１５ａ乃至１５ｄ）を選択し、受信部（例えば、ＣＤＭＡ基地局電波受信機２４）は、候補基地局（例えば、ＣＤＭＡ基地局１５ａ乃至１５ｄ）からの前記特定信号（シンクチャネルメッセージデータ）を１つの基地局（例えば、ＣＤＭＡ基地局）ごとに受信する構成となっている。そして、本実施形態の上述の工程によれば、図４の修正用時刻データ算出プログラム３５は、受信部（例えば、ＣＤＭＡ基地局電波受信機２４）で受信された特定信号（例えば、シンクチャネルメッセージ）に含まれる時刻情報（例えば、ＧＰＳ時刻等）ごとに修正時刻情報（例えば、修正用時刻データ５２）を生成する構成を有する。また、図４の修正時刻情報判断プログラム３８は、修正時刻生成部（例えば、修正用時刻データ算出プログラム３５）で生成された修正時刻情報（例えば、修正用時刻データ５２）ごとに順番に表示時刻情報（例えば、表示時刻用データ５３）と比較して、判断する構成を備えている。
このため、受信の際に一度に消費される電力を抑えることができる。
【００６０】
また、本実施形態の上述の工程によれば、図４のＲＴＣ及び時刻修正プログラム３６は、候補基地局（例えば、ＣＤＭＡ基地局１５ａ等）からの時刻情報に基づいて生成された修正時刻情報（例えば、修正用時刻データ５２）のうちで、相対的にもっとも進んでいる修正時刻情報（例えば、修正用時刻データ５２）に基づいて表示時刻情報（例えば、表示時刻用データ５３）を修正する構成を備える時刻表示修正部の一例ともなっている。
【００６１】
このため、より伝搬遅延時間の少ない時刻情報に基づいて、表示時刻情報が修正されることとなり、一番近い基地局からの電波信号に基づき、表示時刻情報の修正を行うことができる。また、ＣＤＭＡ方式の精度の高い時刻情報に基づいて時刻修正をすることもできる。
【００６２】
本発明は、上述の実施の形態に限定されない。
【図面の簡単な説明】
【００６３】
【図１】本発明に係る時刻修正装置付き計時装置である例えば、時刻修正装置付き腕時計を示す概略図である。
【図２】図１の腕時計の内部の主なハードウエア構成等を示す概略図である。
【図３】腕時計の主なソフトウエア構成等を示す概略全体図である。
【図４】図３の各種プログラム格納部内のデータを示す概略図である。
【図５】図３４の第１の各種データ格納部内のデータを示す概略図である。
【図６】図３の第２の各種データ格納部内のデータを示す概略図である。
【図７】本実施の形態にかかる腕時計の主な動作等を示す概略フローチャートである。
【図８】本実施の形態にかかる腕時計の主な動作等を示す概略フローチャートである。
【図９】シンクチャネルメッセージの内容を示す概略図である。
【図１０】ＣＤＭＡ基地局から送信される信号の同期タイミング等を示す概略図である。
【符号の説明】
【００６４】
１０・・・時刻修正装置付き腕時計、１１・・アンテナ、１２・・・文字板、１３・・・針、１４・・・ディスプレイ、１５ａ及び１５ｄ・・・ＣＤＭＡ基地局、１８・・・制御部、２０・・・ＩＦ．ＩＯ．電源ライン、２４・・・ＣＤＭＡ基地局電波受信機、２５・・・リアルタイムクロック（ＲＴＣ）、２６・・・温度補償回路付き水晶発信回路（ＴＣＸＯ）、２７・・・電池、２９・・・タイマー、３０・・・各種プログラム格納部、３１・・・パイロットチャネル信号受信プログラム、３２・・・パイロットＰＮ同期プログラム、３３・・・シンクチャネルメッセージ受信プログラム、３４・・・受信機制御プログラム、３５・・・修正用時刻データ算出プログラム、３６・・・ＲＴＣ及び時刻修正プログラム、３７・・・基地局サーチプログラム、３８・・・修正時刻情報判断プログラム、４０・・・第１の各種データ格納部、４１・・・パイロットＰＮ同期用データ、４２・・・サービスエリアデータ、４３・・・差分時間データ、４４・・・パイロットＰＮオフセット時間データ、５０・・・第２の各種データ格納部、５１・・・シンクチャネルメッセージデータ、５２・・・修正用時刻データ、５３・・・表示時刻用データ
【図１】
2009085726.tif 000003
【図２】
2009085726.tif 000004
【図３】
2009085726.tif 000005
【図４】
2009085726.tif 000006
【図５】
2009085726.tif 000007
【図６】
2009085726.tif 000008
【図７】
2009085726.tif 000009
【図８】
2009085726.tif 000010
【図９】
2009085726.tif 000011
【図１０】
2009085726.tif 000012